(57)【要約】      （修正有）【課題】木材屑の粉砕を細かく粉砕する際の粉砕時間を短縮し、さらに粉砕作業効率を高めることが出来る木材の粉砕装置を提供する。【解決手段】回転駆動装置２により回転されて外周縁に設けられたカッターで木材屑を粉砕する粉砕羽根３と、粉砕羽根の外周縁に沿って設けられ選別用の透過孔が多数穿設されてなる円筒状のスクリーン４と、粉砕羽根を回転させる回転駆動装置と、スクリーンに木材屑を供給する吸入口が設けられるとともに、スクリーンを透過した粉砕木材を吐出させる吐出口６が設けられた筐体７と、を少なくとも有してなる木材の粉砕装置１において、スクリーン４が第１スクリーン４ａと第２スクリーン４ｂとで構成され、第１スクリーンの透過孔の孔径と比較して第２スクリーンの透過孔の孔径がより小さく形成されて粉砕目的の寸法に形成されており、スクリーン４に供給された木材屑が２段階で粉砕されることを特徴とする。【選択図】図１
0003186337.tif 000002
【実用新案登録請求の範囲】
【請求項１】
回転駆動装置により回転されて外周縁に設けられたカッターで木材屑を粉砕する粉砕羽根と、
前記粉砕羽根の外周縁に沿って設けられ選別用の透過孔が多数穿設されてなる円筒状のスクリーンと、
前記粉砕羽根を回転させる回転駆動装置と、
前記スクリーンに木材屑を供給する吸入口が設けられるとともに、前記スクリーンを透過した粉砕木材を吐出させる吐出口が設けられた筐体と、
を少なくとも有してなる木材の粉砕装置において、
前記スクリーンが第１スクリーンと第２スクリーンとで構成され、
前記第１スクリーンの透過孔の孔径と比較して前記第２スクリーンの透過孔の孔径がより小さく形成されて粉砕目的の寸法に形成されており、
前記スクリーンに供給された木材屑が２段階で粉砕されること、
を特徴とする木材の粉砕装置。
【請求項２】
第１スクリーンと該第１スクリーンの外側で配設される第２スクリーンとを同軸周りに配置して構成するとともに、
前記第１スクリーンと前記第２スクリーンとの間の筒状空間部には、第２粉砕羽根が配設されていること、
を特徴とする木材の粉砕装置。
【請求項３】
第２粉砕羽根の背面には、負圧により前記背面に木材屑が付着するのを防止する山形突起部を設けていること、
を特徴とする請求項２に記載の木材の粉砕装置。
【考案の詳細な説明】
【技術分野】
【０００１】
本考案は、木材の粉砕装置に関するものである。
【背景技術】
【０００２】
従来、木材の粉砕装置は、特許文献１に記載されているように、モータ等の駆動装置で回転駆動される回転軸に植設された複数の粉砕羽根と、該粉砕羽根の外周縁に近接して配設され、前記粉砕羽根で粉砕された木片を外に透過させる多数の透過孔を有した円筒状の金属製スクリーンと、該スクリーンの外側に沿って前記回転軸によって回転され前記透過孔から透過した粉砕木片を外部に吐出するための送風羽根と、前記粉砕羽根と送風羽根とを回転駆動させる駆動装置と、これらを備えるとともに吸入口と吐出口とを設けてなるケーシングとで構成されるものが知られている。
【０００３】
前記木材の粉砕装置により、スクリーンの内部において前記駆動装置で粉砕羽根を回転し、前記スクリーンの内側に供給される木材屑を前記粉砕羽根で粉砕する。粉砕された木材は前記スクリーンの透過孔を透過し、透過した粉砕木材は前記送風羽根で強制送風される空気によって前記ケーシングの吐出口から排出される。
【先行技術文献】
【特許文献】
【０００４】
【特許文献１】特開２０１２−９１１４６号公報
【考案の概要】
【考案が解決しようとする課題】
【０００５】
しかし、従来の木材の粉砕装置は、選別用の透過孔を設けたスクリーンが１枚だけなので、木材屑を一度に細かく粉砕して排出する能力には限度がある。即ち、前記スクリーンの透過孔を、所望の大きさの孔径にすると、前記粉砕羽根で粉砕する時間が長くなり作業効率が低下する。また、小径の透過孔を透過する木材の量が少なくなって、スクリーン内側に木材屑が多量に溜まるようになると、前記粉砕羽根の回転にも支障を来すようになるという課題がある。本考案に係る木材の粉砕装置は、このような課題を解決するために提案されたものである。
【課題を解決するための手段】
【０００６】
本考案に係る木材の粉砕装置の上記課題を解決して目的を達成するための要旨は、回転駆動装置により回転されて外周縁に設けられたカッターで木材屑を粉砕する粉砕羽根と、前記粉砕羽根の外周縁に沿って設けられ選別用の透過孔が多数穿設されてなる円筒状のスクリーンと、前記粉砕羽根を回転させる回転駆動装置と、前記スクリーンに木材屑を供給する吸入口が設けられるとともに、前記スクリーンを透過した粉砕木材を吐出させる吐出口が設けられた筐体と、を少なくとも有してなる木材の粉砕装置において、前記スクリーンが第１スクリーンと第２スクリーンとで構成され、前記第１スクリーンの透過孔の孔径と比較して前記第２スクリーンの透過孔の孔径がより小さく形成されて粉砕目的の寸法に形成されており、前記スクリーンに供給された木材屑が２段階で粉砕されることである。
【０００７】
第１スクリーンと該第１スクリーンの外側で配設される第２スクリーンとを同軸周りに配置して構成するとともに、前記第１スクリーンと前記第２スクリーンとの間の筒状空間部には、第２粉砕羽根が配設されていることである。
【０００８】
更に、前記第２粉砕羽根の背面には、負圧により前記背面に木材屑が付着するのを防止する山形突起部を設けていることを含むものである。
【考案の効果】
【０００９】
本考案の木材の粉砕装置によれば、スクリーンを第１スクリーンと、第２スクリーンとに２段階に分けたので、木材屑が段階的に細かく能率良く粉砕される。また、２段階に分けて材屑を粉砕するので、騒音も軽減される。
また、第２粉砕羽根に、山形突起部があるので、粉砕された木材屑が第２粉砕羽根の背面に付着せず、目的の細径に粉砕する作業効率が向上する。
【図面の簡単な説明】
【００１０】
【図１】本考案の木材の粉砕装置１における、筐体の一部を断面にして示す側面図である。
【図２】同本考案に係る木材の粉砕装置１の平面図である。
【考案を実施するための形態】
【００１１】
本考案に係る木材の粉砕装置１は、２段階に分けて木材屑を粉砕するようにしたものである。
【実施例】
【００１２】
本考案に係る木材の粉砕装置１は、図１乃至図２に示すように、電動モータ等の回転駆動装置２により回転されて外周縁に設けられたカッターで木材屑を粉砕する粉砕羽根３と、前記粉砕羽根３の外周縁に沿って設けられ選別用の透過孔が多数穿設されてなる円筒状のスクリーン４と、前記粉砕羽根３を回転させる回転駆動装置２と、前記スクリーン４に木材屑を供給する吸入口５を有し、前記スクリーン４を透過した粉砕木材を吐出させる吐出口６を有する筐体７とを少なくとも有して成る木材の粉砕装置である。
【００１３】
前記スクリーン４を第１スクリーン４ａと該第１スクリーン４ａよりも大径の第２スクリーン４ｂとで２段に構成するとともに、前記第１スクリーン４ａの透過孔の孔径が大きく、前記第２スクリーン４ｂの透過孔の孔径が前記第１スクリーン４ａの透過孔の孔径よりも小さくされて粉砕目的の寸法に形成されている。
【００１４】
更に、前記第１スクリーン４ａと前記第２スクリーン４ｂとの間の筒状空間部には、外周縁部にカッターを有した第２粉砕羽根９が配設されている。
【００１５】
また、第２粉砕羽根９の背面には、負圧により前記背面に木材屑が付着するのを防止する山形突起部１０を設けている。
【００１６】
このような構成の木材の粉砕装置１を使用すれば、筐体７の吸入口５から木材屑が投入される。回転駆動装置２の回転が回転軸２ａにベルト・チェーン等で回転伝達され，該回転軸２ａを介して粉砕羽根３を回転させており、第１スクリーン４ａの内面と当該粉砕羽根３のカッターによって木材屑が粉砕される。
【００１７】
前記粉砕された粉砕木材は、その粒径がやや大きい。これは、前記第１スクリーン４ａの外周面に多数穿孔された透過孔の孔径が大きいからである。この第１スクリーン４ａによる粉砕が第１段階の粉砕である。なお、粉砕羽根３の背面には、突起部３ａが設けられている。これは、粉砕羽根３の背面に、負圧によって粉砕木材が付着するのを防止するためである。
【００１８】
前記第１スクリーン４ａの透過孔を透過した粉砕木材は、第２粉砕羽根９によって第２スクリーン４ｂの内面に押しつけられ、当該第２粉砕羽根９の外周縁に設けたカッターで細かく粉砕される。これが第２段階の粉砕である。
【００１９】
前記第２粉砕羽根９は、前記回転駆動装置２によって、回転軸２ａを介して前記粉砕羽根３とともに同軸で回転されるものである。また、この第２粉砕羽根９の背面側には、山形突起１０が設けられており、粉砕木材が回転羽根の負圧により背面側に付着するのを防止している。
【００２０】
前記第２粉砕羽根９で粉砕された粉砕木材は、前記第２スクリーン４ｂの外周面に穿孔された多数の透過孔を透過する。この透過孔の孔径が、前記第１スクリーン４ａの透過孔の孔径よりも小さく、所望の大きさのチップにする孔径であり、当該透過孔を透過した粉砕木材は、目的の大きさのチップになっているものである。
【００２１】
前記第２スクリーン４ｂの透過孔を透過した粉砕木材は、前記粉砕羽根３及び第２粉砕羽根９の強制送風により、吐出口６からはき出される。このようにして、木材屑は、第１スクリーン４ａ、第２スクリーン４ｂとによる２段階の孔径が異なる透過孔により、順番に径が小さく加工された粉砕木材に形成される。こうしてカッターによる粉砕抵抗が少なく、効率的に粉砕される木材の粉砕装置１となるのである。
【産業上の利用可能性】
【００２２】
本考案に係る木材の粉砕装置１は、木材屑に限らず例えば合成樹脂製屑などにも適用できるものである。
【符号の説明】
【００２３】
１          木材の粉砕装置、
２          回転駆動装置、                  ２ａ        回転軸、
３          粉砕羽根、                      ３ａ        突起部、
４          スクリーン、
４ａ        第１スクリーン、                ４ｂ        第２スクリーン、
５          吸入口、    
６          吐出口、      
７          筐体、              
８          基台、              
９          第２粉砕羽根、
１０        山形突起。
【図１】
0003186337.tif 000003
【図２】
0003186337.tif 000004
【手続補正書】
【提出日】平成25年7月31日(2013.7.31)
【手続補正１】
【補正対象書類名】実用新案登録請求の範囲
【補正対象項目名】全文
【補正方法】変更
【補正の内容】
【実用新案登録請求の範囲】
【請求項１】
回転駆動装置により回転されて外周縁に設けられたカッターで木材屑を粉砕する粉砕羽根と、
前記粉砕羽根の外周縁に沿って設けられ選別用の透過孔が多数穿設されてなる円筒状のスクリーンと、
前記粉砕羽根を回転させる回転駆動装置と、
前記スクリーンに木材屑を供給する吸入口が設けられるとともに、前記スクリーンを透過した粉砕木材を吐出させる吐出口が設けられた筐体と、
を少なくとも有してなる木材の粉砕装置において、
前記スクリーンが第１スクリーンと第２スクリーンとで構成され、
前記第１スクリーンの透過孔の孔径と比較して前記第２スクリーンの透過孔の孔径がより小さく形成されて粉砕目的の寸法に形成されており、
前記スクリーンに供給された木材屑が２段階で粉砕されること、
を特徴とする木材の粉砕装置。
【請求項２】
第１スクリーンと該第１スクリーンの外側で配設される第２スクリーンとを同軸周りに配置して構成するとともに、
前記第１スクリーンと前記第２スクリーンとの間の筒状空間部には、第２粉砕羽根が配設されていること、
を特徴とする請求項１に記載の木材の粉砕装置。
【請求項３】
第２粉砕羽根の背面には、負圧により前記背面に木材屑が付着するのを防止する山形突起部を設けていること、
を特徴とする請求項２に記載の木材の粉砕装置。